(57)【要約】      （修正有）【課題】体内に吸引・摂取することにより、リラックス効果や、体脂肪率減少、血糖値低下、皮膚の保湿性向上等の効果が得られると言われている高濃度酸素を遠赤外線との相乗効果を最大限に発揮させることにより効果的・効率的に摂取でき、健康・美容・リラクゼーション効果を得ることができる高濃度酸素吸引用簡易個室を提供する。【解決手段】高濃度酸素吸引用簡易個室１において、床部に遠赤外線発生システムを敷設し、室内に高濃度酸素発生器３と、排気用換気扇４と、照明器具５とを備え、任意の一側壁に入退室用ドア１ｄを設置する。【選択図】図１
0003117474.tif 000002
【実用新案登録請求の範囲】
【請求項１】
床部に遠赤外線発生システムを敷設し、
室内に高濃度酸素発生器と、排気用換気扇と、照明器具とを備え、
任意の一側壁に入退室用ドアを設置することを特徴とする高濃度酸素吸引用簡易個室。
【請求項２】
前記遠赤外線発生システムは、
床部底部から床部表面に向かって、底板、温熱マット、セラミックシート及び表面に複数の小孔を設けたすのこ状の床板を積層してなるものであることを特徴とする請求項１に記載の高濃度酸素吸引用簡易個室。
【請求項３】
表面に塗料が塗布された木材からなることを特徴とする請求項１又は２記載の高濃度酸素吸引用簡易個室。
【請求項４】
床面積を０．５〜１．５坪、高さが１．８〜２．７ｍとすることを特徴とする請求項１乃至３のいずれか一に記載の高濃度酸素吸引用簡易個室。
【請求項５】
前記高濃度酸素発生器は、
前記簡易個室内の酸素濃度を２５〜３５％に保持できる機器であることを特徴とする請求項１乃至４のいずれか一に記載の高濃度酸素吸引用簡易個室。
【請求項６】
前記照明器具は、
間接照明であり、かつ照明の色が青色であることを特徴とする請求項１乃至５のいずれか一に記載の高濃度酸素吸引用簡易個室。
【考案の詳細な説明】
【技術分野】
【０００１】
本考案は、効果的に高濃度酸素が摂取でき、遠赤外線との相乗効果を最大限に発揮させ、健康・美容・リラクゼーション効果を得ることができる高濃度酸素吸引用簡易個室に関するものである。
【背景技術】
【０００２】
高濃度の酸素を吸引し体内に摂取することにより、リラックス効果や、体脂肪率減少、血糖値低下、皮膚の保湿性向上等の効果が得られると言われており、近年では健康増進の一手段として高濃度酸素吸引が注目され、高濃度酸素吸引のための様々な器具や店舗が普及しつつある。
【０００３】
従来の高濃度酸素の吸引方法には、チューブを用いて直接鼻に入れて摂取する方法や、寝袋大サイズのカプセル内や簡易個室等に酸素を送り込んで摂取する方法等がある。
【特許文献１】特開２００４−４９６２７号公報
【特許文献２】特開２００２−１７２１７２号公報
【考案の開示】
【考案が解決しようとする課題】
【０００４】
特許文献１記載の発明は、アロマテラピーと高濃度酸素を同時に吸引することができる酸素吸引装置及び吸引方法を提供している。該発明によると、密閉可能な混合器内で芳香液と高濃度酸素を混合させて生成した芳香性高濃度酸素を、該混合器に設置された酸素排出管の一端を鼻孔又は口の内部或いは近傍に配置して該芳香性高濃度酸素を吸引する。
【０００５】
特許文献２記載の発明は、人間が入ることができる程度の容積が区画された室内に高濃度酸素を含む呼吸用気体を供給する呼吸用気体供給手段とを備え、内部の人間の心身を活性化することを目的とする特殊空間設備を提供している。
【０００６】
上述の従来の技術には、下記のような問題点を指摘することができる。
特許文献１記載の管を利用して鼻孔より直接摂取する方法は、同時に外気の通常濃度の酸素も大量に摂取してしまい、肺に届く酸素濃度は通常の空気と同程度になってしまうため、効果があまり期待できない。また、両方の鼻孔に管を差し込んで利用するため、不快感を生じる、あるいは外観的に良くないといった欠点から持続的利用がしにくい。
【０００７】
特許文献２記載の区画された室内で高濃度酸素を吸引する方法は、酸素摂取時に外気が混入しないため、高濃度を維持したまま酸素を摂取することができるが、該室内は非常に狭く暗いため、閉所恐怖症の人等は緊張してしまい、この緊張が毛細血管を収縮させ、血液中のヘモグロビンの運搬に弊害を及ぼすため利用が制限されてしまう。
【０００８】
また、室内で高濃度酸素を吸飲する場合、室内の気圧を減圧することがあるが、減圧により非常に圧迫感を覚えるという欠点もある。
【０００９】
高濃度の酸素を摂取するための最良の条件としては、利用者が完全にリラックスした状態であり、高濃度酸素を摂取してからできる限りの酸素が体内の隅々に行き渡るように毛細血管が最大限に拡大していること、吸引直前の酸素濃度が約３０％に設定してあり、肺に到達した時点でも酸素濃度が低下していないこと、可能な限り毎日続けていける環境であること、等が挙げられる。
【００１０】
上述した従来の問題を解決し、なおかつ高濃度酸素吸引における最良の条件を満たすために、本考案は遠赤外線との相乗効果を最大限に発揮させることにより効果的に高濃度酸素が摂取でき、かつ健康・美容・リラクゼーション効果も得ることができる高濃度酸素吸引用簡易個室を提供することを目的とする。
【課題を解決するための手段】
【００１１】
請求項１に係る考案は、高濃度酸素吸引用簡易個室において、床部に遠赤外線発生システムを敷設し、室内に高濃度酸素発生器と、排気用換気扇と、照明器具とを備え、任意の一側壁に入退室用ドアを設置することを特徴とする。
【００１２】
請求項２に係る考案は、前記遠赤外線発生システムにおいて、床部底部から床部表面に向かって、底板、温熱マット、セラミックシート及び表面に複数の小孔を設けたすのこ状の床板を積層してなるものであることを特徴とする。
【００１３】
請求項３に係る考案は、前記高濃度酸素吸引用簡易個室において、表面に塗料が塗布された木材からなることを特徴とする。
【００１４】
請求項４に係る考案は、前記高濃度酸素吸引用簡易個室において、床面積を０．５〜１．５坪、高さが１．８〜２．７ｍとすることを特徴とする。
【００１５】
請求項５に係る考案は、前記高濃度酸素発生器において、前記簡易個室内の酸素濃度を２５〜３５％に保持できる機器であることを特徴とする。
【００１６】
請求項６に係る考案は、前記照明器具において、間接照明であり、かつ照明の色が青色であることを特徴とする。
【考案の効果】
【００１７】
以上の通り、本考案による高濃度酸素吸引用簡易個室は、密閉した個室内に高濃度酸素を送り込んで、通常の呼吸によって利用者に吸引させるため、通常濃度の酸素が混入することなく高濃度酸素をそのまま肺まで送り込むことができる。また、個室であるため他人の視線が気にならず、かつ室内には照明も設置され、減圧を行う必要もないため、利用者はリラックスした状態で高濃度酸素を吸引することができる。
【００１８】
また、温熱シートとセラミックシートによって生じる遠赤外線により、利用者の体内水分子が活発に振動して細胞の活性化や毛細血管の拡張が起こり、それにより高濃度酸素を通常より効果的に摂取することができる。
【００１９】
さらに、本考案による簡易個室は構造が単純でコンパクトであるため、製造コストを低く抑えることができる。また、組立や設置が簡単に行えるため、営業目的ではない企業や個人が購入し、屋内外に設置して利用することも可能であり、高濃度酸素吸引を毎日続けていける環境を提供することができる。
【考案を実施するための最良の形態】
【００２０】
以下、図面を参照して本考案の実施の形態について説明する。
図１は本考案による高濃度酸素吸飲用簡易個室の一実施例の概略的一部切欠斜視図である。略四角形の底板１ａと、底板１ａの４辺に起立連接された略長方形の側壁１ｂと、側壁１ｂの上面に張設された略四角形の天井板１ｃから構成されている。
【００２１】
簡易個室１には、任意の一側壁に設置された入退室用ドア１ｄ、高濃度酸素発生器３、排気用換気扇４及び照明５とが設置されている。
【００２２】
高濃度酸素発生器３の設置場所を簡易個室１の室外にした場合、高濃度酸素発生器３から発生した高濃度酸素を簡易個室１内に送り込むための酸素供給用チューブ３ａと吹出口３ｂが設置される。吹出口３ｂは、利用者が効果的に高濃度酸素を吸引できるように、利用者の顔の高さ程度の位置に開口されていることが望ましい。この吹出口３ｂの直径及び形状は、効率よく簡易個室１に高濃度酸素を供給できるのであれば、特に限定されるものではない。
【００２３】
さらに、簡易個室１内の任意の一側壁１ｂに排気用換気扇４が設置されており、これにより利用者の呼気で酸素濃度が低下した空気を強制排気することができる。好適には、簡易個室内の床部に近い低位置に設置する。
【００２４】
入退室用ドア１ｄの幅は人間一人分が出入り可能な程度であり、その四辺はパッキンで塞がれ、室内の密閉度を保つように構成されている。
【００２５】
実施例では特に図示されていないが、４つの側壁１ｂのうち少なくとも１つに小窓を設置することもできる。その場合、内部の様子が明確にならず、かつ室外光を取り入れられる程度のスモークシート等を張るのが望ましい。
【００２６】
図２は床部２の概略的構造を示す斜視図、図３は床部２の断面図である。床部２には赤外線発生システムが敷設されており、底板１ａの上面に敷設された温熱マット２ａと、温熱マット２ａの上面に積層されたセラミックシート２ｂと、セラミックシート２ｂの上面に空間２ｄを設け、その上に張設されたすのこ板２ｃとから構成されている。
【００２７】
温熱マット２ａは電気で熱を発生させるもの、あるいは内包した鉄粉の酸化熱を利用して熱を発生させるもの等、人体に無害でありかつ温熱効果を生じる程度の温度の熱を発生させるものであれば、どのような形式のものを使用してもよい。
【００２８】
セラミックシート２ｂとは、２枚の不織布の間にペレット状のセラミックスを内包してシート状にしたものである。このセラミックシート２ｂを温熱マット２ａの上面に配置することにより、温熱マット２ａが発する熱をセラミックシート２ｂ内のセラミックスが吸収し、遠赤外線として外部に放射される。
【００２９】
セラミックシート２ｂ上に張設されたすのこ板２ｃは、木板２ｃ１に直径１０ｍｍ前後の孔２ｃ２を多数開設してなる。セラミックシート２ｂ内で発生した遠赤外線は該孔を通過して簡易個室１内に放射され、利用者の体内に吸収される。
【００３０】
利用者の体内に遠赤外線が吸収されると、体内の水分子が活発に振動し、水分子同士の衝突により熱エネルギーが生じて体温が上昇することにより、細胞活性化、毛細血管拡張等の効果が得られる。この状態で高濃度酸素を吸引すると、通常の場合より高濃度酸素摂取の効果をより効率的に得ることができる。
【００３１】
簡易個室１は表面に塗料が塗布された木材を使用する。表面の塗料によって、床部から発生した遠赤外線は乱反射し、簡易個室１内にくまなく行き届くことができる。
【００３２】
上記の理由から、簡易個室１は表面に塗料が塗布された木材であることが好適であるが、遠赤外線の乱反射及び利用者の高濃度酸素吸引を妨げるものでなければ、簡易個室１の材料は木材に限定されない。
【００３３】
また、簡易個室１のサイズは、床面積０．５〜１．５坪、高さが１．８〜２．７ｍ程度とするが、高濃度酸素を効率的に吸引するために床面積約１坪、高さは約２．５ｍとすることが望ましい。
【００３４】
高濃度酸素発生器３には、簡易個室１内の酸素濃度を常時２５〜３５％、好適には約３０％に保つことが可能である機器を使用する。そのため、濃度９０％以上の酸素を毎分４リットル以上発生させることのできる機器を使用するのが最も効率的であり、簡易個室１の床面積が１坪の場合、高濃度酸素発生器３は２台以上設置するのが望ましい。
【００３５】
照明５は天井面１ｃに設置されている。高濃度酸素を効果的に摂取するためにリラックス感が得られるように、心拍数を抑えるとされている青色を基調とすることが望ましい。
【００３６】
また、温熱マット２ａの電源や照明５のスイッチ等は、排気用換気扇４付近の床下に集中配線しており、追加機器への対応も可能になっている。
【００３７】
以上のように、本考案による高濃度酸素吸引用簡易個室は効率的に高濃度酸素を摂取できる。また、非常にコンパクトであるため、ビルやマンション等の室内、あるいは個人宅内外においても設置できるため、持続的に利用することが可能である。
【図面の簡単な説明】
【００３８】
【図１】本考案による高濃度酸素吸引用簡易個室の一実施例を示す概略的一部切欠斜視図である。
【図２】本考案による高濃度酸素吸引用簡易個室のすのこ板を外した場合の床部の概略的構造を示す斜視図である。
【図３】本考案による高濃度酸素吸引用簡易個室の床部の断面図である。
【符号の説明】
【００３９】
１      簡易個室
１ａ    底板
１ｂ    側壁
１ｃ    天井面
１ｄ    入退室用ドア
２      床部
２ａ    温熱マット
２ｂ    セラミックシート
２ｃ    すのこ板
２ｃ１  木板
２ｃ２  孔
２ｄ    空間
３      高濃度酸素発生器
３ａ    酸素供給用チューブ
３ｂ    吹出口
４      排気用換気扇
５      照明
【図１】
0003117474.tif 000003
【図２】
0003117474.tif 000004
【図３】
0003117474.tif 000005